(57)【要約】      （修正有）【課題】三つ折りにして収納可能な折り畳み式ベッドの組み立てにおいて、脚部材の折り畳み部分に手指を挟み込む事故を防止する指詰め防止装置を提供する。【解決手段】折り畳み式ベッド用の指詰め防止装置１は、脚軸支部３１の付け根部分３９に近い側縁部３５ａに固定部１１を固着し、当て板部１３で脚部材３を軸支する脚軸支部３１の外側面を覆うと共に、開いた状態の脚部材３の外側面から腰掛部５の外側面にかけて覆うことにより、折り畳み式ベッドの折り畳み、及びその展開、並びに使用する時に、腰掛部５と脚部材３の付け根部分３９に安易に手指が入らないように構成されている。【選択図】図３
0003205884.tif 000002
【実用新案登録請求の範囲】
【請求項１】
リクライニング調節が可能な背もたれ部及び足置部と、その中間の腰掛部とからなるベッド部を三つ折りにして収納可能な折り畳み式ベッド用の指詰め防止装置であって、
前記折り畳み式ベッドは金属製のパイプで前記ベッド部と脚部材のフレームを形成してなり、
前記ベッド部には合成樹脂材若しくは布材を張設したベッドが形成されてなり、
前記脚部材は前記腰掛部を構成するフレームに折り畳み自在に軸支されてなり、
前記指詰め防止装置は、
前記脚部材に固定される固定部と、
前記脚部材を軸支する脚軸支部の外側面を覆うと共に、開いた状態の前記脚部材の外側面から前記腰掛部の外側面にかけて覆う扇型に形成されてなる当て板部とからなり、
前記当て板部は、前記脚部材に伴って前記腰掛部に対して回動し、
前記折り畳み式ベッドを折り畳んだ状態において、前記当て板部が前記背もたれ部より上方に突出しない
ことを特徴とする折り畳み式ベッド用の指詰め防止装置。
【請求項２】
前記当て板部は、前記脚部材の前脚部材と後脚部材の２カ所で、且つ前記脚部材と対向する位置の２カ所の計４カ所に設けられた
ことを特徴とする請求項１に記載の折り畳み式ベッド用の指詰め防止装置。
【考案の詳細な説明】
【技術分野】
【０００１】
本考案は、折り畳み式ベッド用の指詰め防止装置に関する。
【背景技術】
【０００２】
折り畳み式ベッドは、折り畳むことで、運搬、持ち運びの利便性と、収納の容易さの両面の手軽さにより、アウトドアや家庭等で広く使用されている。
【考案の概要】
【考案が解決しようとする課題】
【０００３】
しかし、折り畳み式ベッドの組み立てが不十分な場合、特に、脚部材の折り畳み部分に手指を挟み込み、場合によっては重大な事故を生じさせる恐れがあるという課題があった。
【課題を解決するための手段】
【０００４】
そこで、上記課題を解決するための手段として本考案に係る折り畳み式ベッド用の指詰め防止装置は、リクライニング調節が可能な背もたれ部及び足置部と、その中間の腰掛部とからなるベッド部を三つ折りにして収納可能な折り畳み式ベッド用の指詰め防止装置であって、前記折り畳み式ベッドは金属製のパイプで前記ベッド部と脚部材のフレームを形成してなり、前記ベッド部には合成樹脂材若しくは布材を張設したベッドが形成されてなり、前記脚部材は前記腰掛部を構成するフレームに折り畳み自在に軸支されてなり、前記指詰め防止装置は、前記脚部材に固定される固定部と、前記脚部材を軸支する脚軸支部の外側面を覆うと共に、開いた状態の前記脚部材の外側面から前記腰掛部の外側面にかけて覆う扇型に形成されてなる当て板部とからなり、前記当て板部は、前記脚部材に伴って前記腰掛部に対して回動し、前記折り畳み式ベッドを折り畳んだ状態において、前記当て板部が前記背もたれ部より上方に突出しないことを特徴とする。
【０００５】
前記折り畳み式ベッドには、折り畳み式の背もたれ部を備えるリクライニングチェアーを含む。
【０００６】
扇型とは、風を起こす道具の一つである扇子を広げた形状のことであり、扇子の部位の名称はそれぞれ、扇の外側が親骨、親骨の内側に複数あるのが中骨、親骨と中骨とを一本に束ねているのが要、扇を開いた時の面部分を扇面、扇面の先端の縁部分が扇沿と呼ばれている。
【０００７】
前記当て板部の扇型の形状は、扇沿部分が曲線を形成しているが、これに限らず、例えば、直線、或いは、複数の直線からなる折れ線で形成されたものも含む。また、扇型の親骨部分の長さは一辺と他辺が必ずしも同一でなくても良く、どちらか一方が長くても好ましい。
【０００８】
また本考案は、前記当て板部は、前記脚部材の前脚部材と後脚部材の２カ所で、且つ、前記脚部材と対向する位置の２カ所の計４カ所に設けられたこととしても良い。
【０００９】
このようにしてなる折り畳み式ベッド用の指詰め防止装置は、前記脚部材の付け根部分に近い前記脚部材の側縁部に前記固定部を取り付け、前記当て板部で前記脚部材を軸支する脚軸支部の外側面を覆うと共に、開いた状態の前記脚部材の外側面から前記腰掛部の外側面にかけて覆うことができることにより、前記折り畳み式ベッドの使用に際し、前記折り畳み式ベッドの折り畳み、及びその展開、並びに使用時に、前記腰掛部と前記脚部材の付け根部分に安易に手指が挟み込まれないように構成されてなる。
【００１０】
さらに、前記当て板部が、前記脚部材から前記腰掛部の外側面にかけて、滑らかな曲線を持った扇型部分を形成してなり、該扇型部分の両端部と扇型の要部の三カ所も同様に滑らかな曲線で形成してなることにより、前記折り畳み式ベッドを展開した状態、或いは折り畳んだ状態においても、前記当て板部による怪我も未然に防止できる。
【００１１】
また、前記当て板部は、前記脚部材に伴って前記腰掛部に対して回動するも、前記折り畳み式ベッドを三つ折りにした状態において、前記当て板部の扇型部分が該三つ折りの厚みより上方に突出しないので、収納性の問題もない。加えて、前記当て板部の変形や、他物品への当たり傷等も未然に防止できる。
【００１２】
また、着座者が前記折り畳み式ベッドに着座した時に、最初に両手で持つ位置が前記腰掛部と前記脚部材の付け根部分に近いフレームとなり、さらに、前記腰掛部に対して前記背もたれと前記足置の位置が定まっていないことで、前記脚部材の前脚部材と後脚部材の両方の付け根部分に近いフレームも最初に両手で持つ位置となるために、前記腰掛部の四隅である前記前脚部材と前記後脚部材に２カ所ずつ、計４カ所に前記指詰め防止装置を設けてなる。
【考案の効果】
【００１３】
本考案は、手指を前記腰掛部分と前記脚部材との間に挟み込んだ場合、最も強い力が加わる前記脚部材の付け根部分に手指を当接させた状態で、手指の挟み込みを防止できる前記折り畳み式ベッド用の指詰め防止装置を提供することができる。
【００１４】
また、前記折り畳み式ベッドを三つ折りにした状態において、前記当て板部の扇沿部分が該三つ折りの厚みより上方に突出しないので、従来の折り畳み式ベッドの収納性を低下させることがない。
【図面の簡単な説明】
【００１５】
【図１】本考案の指詰め防止装置１を取り付けた折り畳み式ベッド２０の正面図（ａ）及び平面図（ｂ）である。
【図２】本考案の指詰め防止装置１を取り付けた折り畳み式ベッド２０を折り畳んだ状態の正面図である。
【図３】図１のＣ部の拡大正面図である。
【図４】本考案の指詰め防止装置１の正面図（ａ）、平面図（ｂ）、右側面図（ｃ）、左側面図（ｄ）及び底面図（ｅ）である。
【考案を実施するための形態】
【００１６】
以下、本考案に係る実施の形態を、図を参照しながら詳しく説明する。
【００１７】
図１ａ及び図１ｂに示すように、リクライニング調節が可能な背もたれ部７及び足置部９と、その中間の腰掛部５とからなるベッド部２１を三つ折りにして収納可能な折り畳み式ベッド２０が形成されてなる。
【００１８】
図１ａに示すように、ベッド部２１の腰掛部５を構成するフレーム１０の両端部のブラケット５５，５７に設けられた脚軸支部３１，３１には折り畳み自在に軸支された脚部材３が設けられてなる。
【００１９】
本考案の折り畳み式ベッド２０用の指詰め防止装置１は、図１ａ及び図１ｂに示すように、脚部材３の前脚部材３３の一方側Ａと他方側Ｂの２カ所と、脚部材３の後脚部材３５の一方側Ａと他方側Ｂの２カ所の、計４カ所に取り付けられ、前脚部材３３の外側面と直交する側面の側縁部３３ａと、該側縁部３３ａの他方側Ｂの側縁部（図示せず）、後脚部材３５の外側面と直交する側面の側縁部３５ａと、該側縁部３５ａの他方側Ｂの側縁部（図示せず）に取り付けられてなる。
【００２０】
指詰め防止装置１は、樹脂成型品からなり、図３に示すように、脚部材３に固定される固定部１１と、脚部材３を軸支する脚軸支部３１の外側面を覆うと共に、開いた状態の脚部材３の外側面から腰掛部５の外側面にかけて覆う扇型に形成されてなる当て板部１３とからなる。
【００２１】
また、指詰め防止装置１は、図３及び図４に示すように、正面視で略扇型を形成してなり、側面視で略Ｌ字形を形成してなり、略Ｌ字形の短辺側を固定部１１とし、固定部１１と直交する長辺側を当て板部１３としてなる。
【００２２】
また、指詰め防止装置１の固定部１１の略中央部には取り付け用の穴１１ｈが形成されてなり、指詰め防止装置１の脚部材３への取り付けは、当て板部１３の扇型部分で脚軸支部３１の外側面を覆うことができる位置であって、該外側面に当て板部１３の扇型部分を沿わせ、該扇型の面と直交してなるＬ字形の一方の面を形成する固定部１１を、後脚部材３５の付け根部分３９に近い側縁部３５ａにハトメ３７等で固着されてなる。同様にして、他の３カ所についても指詰め防止装置１を取り付ける。
【００２３】
このようにしてなる折り畳み式ベッド２０用の指詰め防止装置１は、図３に示すように、当て板部１３の扇型部分によって、脚軸支部３１の外側面と、開いた状態の脚部材３の外側面から腰掛部５の外側面にかけて覆うことにより、脚部材３の付け根部分３９が該扇型部分に覆われ、腰掛部５と脚部材３の各フレーム１０の付け根部分３９における手指の挟み込み事故の未然防止が可能となる。
【００２４】
折り畳み式ベッド２０は、夏季に多用されるサマーベッドとも呼ばれており、金属製のパイプ材でベッド部２１と脚部材３のフレーム１０を形成してなり、ベッド部２１には長手方向に沿って構成されてなる両側縁のフレーム１０，１０間に、合成樹脂材若しくは布材２３を張設したベッド２５が形成されてなる。
【００２５】
腰掛部５と背もたれ部７は、腰掛部５を構成するフレーム１０の一方の端部のブラケット５５に形成した背もたれ軸支部５１と同軸上にラチェット２７を介して折り畳み及びリクライニング調節が可能に軸支されてなる。
【００２６】
また、腰掛部５と足置部９は、腰掛部５を構成するフレーム１０の他方の端部のブラケット５７に形成した足置軸支部５３と同軸上にラチェット２９を介して折り畳み及びリクライニング調節が可能に軸支されてなる。
【００２７】
なお、ラチェット２７及び２９は、ラチェット歯と爪片の咬み合いにより腰掛部５に対する背もたれ部７、或いは、腰掛部５に対する足置部９の回動を係止すると共に、爪制御板によりラチェット歯と爪片の咬み合い及びその離脱を制御にして、背もたれ部７と足置部９の展開、リクライニングの角度、及び折り畳みを可能とするものである。
【００２８】
折り畳み式ベッド２０の使用に当たっては、図１ａ及び図２に示すように、腰掛部５を基準として、腰掛部５の下方に、前脚部材３３と後脚部材３５からなる二脚の脚部材３を展開し、腰掛部５の上方に、背もたれ部７及び足置部９を適当な角度に開くことで容易にベッド２５を設置することができる。一方、折り畳み式ベッド２０の使用が終わり、収納に当たってはこの反対の手順により折り畳むことで簡単に収納できる。
【００２９】
当て板部１３は、脚部材３に伴って腰掛部５に対して回動し、当て板部１３を形成する扇型の親骨部分の長さを、三つ折りにした状態の背もたれ部７、腰掛部５、及び脚部材３を構成する各フレーム１０の厚さの合計よりも短くすることにより、図２に示すように、折り畳み式ベッド２０を折り畳んだ状態において、当て板部１３の扇沿部分が該三つ折りの上段となる足置部９よりも上方に突出しない構成としてなる。
【００３０】
また、指詰め防止装置１は、図１ａに示すように、一方側Ａの脚部材３の前脚部材３３と後脚部材３５の２カ所で、且つ、他方側Ｂの脚部材３の前脚部材３３と後脚部材３５の２カ所の計４カ所に取り付けられてなり、該４か所は、対角線上の位置となっているために、取り付けられる指詰め防止装置１は、その対角同士で鏡像対象の形状を有してなる。
【００３１】
また、指詰め防止装置１は、図示されてはいないが、樹脂成型品のために、強度不足にならないように、固定部１１と当て板部１３の肉厚のバランスを取ること、また、リブを設けること、或いは、Ｌ字形の内側のコーナー部分を直角ではなく円弧状の丸みを付けること、等によって、固定部１１及び当て板部１３の機械的強度を向上することとしても好ましい。
【００３２】
以上説明したように、簡単な構造で指詰め防止装置１を構成してなることにより、手指の挟み込み事故の未然防止ができると共に、製造原価も低コストで、且つ、簡単に取り付けられる折り畳み式ベッド２０用の指詰め防止装置１を提供できる。
【符号の説明】
【００３３】
１    指詰め防止装置
３    脚部材
５    腰掛部
７    背もたれ部
９    足置部
１０    フレーム
１１    固定部
１１ｈ  穴
１３    当て板部
２０    折り畳み式ベッド
２１    ベッド部
２３    合成樹脂材若しくは布材
２５    ベッド
２７    ラチェット
２９    ラチェット
３１    脚軸支部
３３    前脚部材
３３ａ  側縁部
３５    後脚部材
３５ａ  側縁部
３７    ハトメ
３９    付け根部分
５１    背もたれ軸支部
５３    足置軸支部
５５    ブラケット
５７    ブラケット
Ａ    一方側
Ｂ    他方側
【図１】
0003205884.tif 000003
【図２】
0003205884.tif 000004
【図３】
0003205884.tif 000005
【図４】
0003205884.tif 000006